(57)【要約】【課題】装着者の係合操作忘れ等の原因を含めたウエイト収納部からのウエイトの不用意な飛び出しを防止でき、また安価に製造でき、且つ清潔を保ち、快適に使用することのできる、極めて優れたパワーウエイトバンドを提供することを、課題とする。【解決手段】  本発明は、可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を備えてなるパワーウエイトバンドにおいて、ベルト基体は、合成樹脂又は天然ゴム若しくは合成ゴムからなり、ウエイト収納部は、ウエイトを収納可能な収納空間と、外部から前記収納空間に達する切込み状の挿入部を形成したことを特徴とするパワーウエイトバンドを、解決手段とする。【選択図】  図１
2007044316.tif 000002
【特許請求の範囲】
【請求項１】
可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を備えてなるパワーウエイトバンドにおいて、
ベルト基体は、合成樹脂又は天然ゴム若しくは合成ゴムからなり、
ウエイト収納部は、ウエイトを収納可能な収納空間と、外部から前記収納空間に達する切込みを形成してなる挿入部とを具備することを特徴とするパワーウエイトバンド。
【請求項２】
可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を備えてなるパワーウエイトバンドにおいて、
ベルト基体は、合成樹脂又は天然ゴム若しくは合成ゴムからなり、
ウエイト収納部は、ウエイトを収納可能な収納空間と、外部から前記収納空間に達し且つ収納空間高さより低い高さの挿入部とを具備することを特徴とするパワーウエイトバンド。
【請求項３】
ウエイト収納部は、正面側と背面側の双方に挿入部を形成したことを特徴とする請求項１又は２記載のパワーウエイトバンド。
【請求項４】
ベルト基体の内面には、該ベルト基体と一体として、複数の突条を列設したことを特徴とする請求項１、２又は３記載のパワーウエイトバンド。
【請求項５】
ベルト基体は、シリコンゴムからなることを特徴とする請求項１、２、３又は４記載のパワーウエイトバンド。
【請求項６】
可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を具備するパワーウエイトバンドにおけるウエイトの収納構造において、
ウエイト収納部は、ウエイトを収納可能な収納空間と、外部から前記収納空間に達する切込みを形成してなる挿入部を備え、
ウエイトは、前記収納空間の輪郭と同一形状として、ウエイトの外面が収納空間を形成する内面に当接したことを特徴とする、パワーウエイトバンドにおけるウエイトの収納構造。
【請求項７】
ベルト基体は、シリコンゴムからなることを特徴とする請求項６記載のパワーウエイトバンドにおけるウエイトの収納構造。
【発明の詳細な説明】
【技術分野】
【０００１】
本発明は、腕部又は脚部に装着して筋力増強を行うためのパワーウエイトバンドに関するものである。
【背景技術】
【０００２】
従来より、腕部や脚部に装着して運動を行うことで、一層の筋力増強を図るパワーウエイトバンドが公知であり、その多くは、内包するウエイト（錘）の重量を装着者の好みに応じて加減できるようにするため、パワーウエイトバンド本体に設けたウエイト収納部から前記ウエイトを出し入れ自在とする構成を備えている。
【０００３】
このようなものとしては、例えば、腕や脚などに巻付け可能で複数のポケット（ウエイト収納部）を有する帯状体と、帯状体の各ポケットに夫々挿脱自在な複数の錘体とを備えてなるパワーウエイトバンド（例えば、特許文献１参照。）等が公知である。
【０００４】
上記例示のパワーウエイトバンドにおいては、ポケットにウエイトを収納した後、パワーウエイトバンドを腕等の対象部位に巻き付けることによって、ウエイトをパワーウエイトバンドで押えつけ保持する構成であるが、急激に腕を振った場合等にポケット（ウエイト収納部）からウエイトが不用意に飛び出し、重量のあるウエイトによって装着者や周囲の者に投げつけられる危険性があった。
【０００５】
このようなウエイトの不用意な飛び出しを防止する従来からの手段としては、例えば、ポケットにフラップを設け、ウエイトを収納した状態でフラップとポケットの各当接面に雌雄の面ファスナー等を用いてフラップの不用意な開口を防止する手段等（例えば、特許文献２参照。）が公知である。
【０００６】
【特許文献１】実開平０７−０２７６２１号公報
【特許文献２】実開昭５０−０４２８４７号公報
【発明の開示】
【発明が解決しようとする課題】
【０００７】
しかしながら、上記フラップを用いた場合であっても、繰返し使用による面ファスナー、スライドファスナーなどの係合機能の劣化が生じたり、或いは、十分な係止機能を有しているにもかかわらず、装着者のフラップの係合操作忘れや怠慢等によりポケットが開口状態のまま使用されることがあり、技術的要因及び人的要因から、十分な安全性を確保するには至らなかった。
【０００８】
一方、パワーウエイトバンドは上記特許文献１、２の例のように、皮革や布地、フェルト等を使用する場合が多く、製造段階での縫製作業や材料コスト等、非常にコスト高となる傾向があり、商品として高価となりやすい欠点がある。
【０００９】
更に、皮革や布地を使用した場合、当該皮革や布地に汗が染み込み、非常に不潔となり易い欠点がある。このため、例えば、フィットネスクラブやトレーニングジムといったスポーツ施設で多数の人に貸出しされるような場合には、他人の汗で濡れたパワーウエイトバンドを着用するにはあまりにも不潔となり、快適に使用することができなくなる欠点があった。
【００１０】
本発明は、以上の事情に鑑みてなされたものであり、装着者の係合操作忘れ等の原因を含めたウエイト収納部からのウエイトの不用意な飛び出しを防止でき、また安価に製造でき、且つ清潔を保ち、快適に使用することのできる、極めて優れたパワーウエイトバンドを提供することを、課題とするものである。
【課題を解決するための手段】
【００１１】
本発明は、可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を備えてなるパワーウエイトバンドにおいて、ベルト基体は、合成樹脂又は天然ゴム若しくは合成ゴムからなり、ウエイト収納部は、ウエイトを収納可能な収納空間と、外部から前記収納空間に達する切込み状の挿入部を形成したことを特徴とするパワーウエイトバンド、及び、可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を具備するパワーウエイトバンドにおけるウエイトの収納構造において、ウエイト収納部は、ウエイトを収納可能な収納空間と、外部から前記収納空間に達する切込みを形成してなる挿入部を備え、ウエイトは、前記収納空間の輪郭と同一形状として、ウエイトの外面が収納空間を形成する内面に当接したことを特徴とする、パワーウエイトバンドにおけるウエイトの収納構造を基本として、上記課題を解決するための手段とする。
【発明の効果】
【００１２】
請求項１に係る発明によれば、ベルト基体全体を、合成樹脂又は天然ゴム若しくは合成ゴムから形成するとともに、ウエイト収納部は、ウエイトを収納可能な収納空間と、外部から前記収納空間に達する切込み状の挿入部を形成したことによって、ウエイトを収納する際には、切込みにウエイトをあてがって強く押し込むことにより、切込みによって形成された切込片が僅かに収納空間側へ撓むように変形し、ウエイトを収納空間内へ挿入することができる。そして、ウエイトが一旦収納空間内に収納されると、切込片相互は切込みを塞ぐように密着状態若しくは密着に近い状態となり、遠心力等の外力が作用した場合であっても、外方へ切込片が開くことも無く、ウエイトを確実に保持することができる。
【００１３】
そして、当該構成によって、装着者はウエイトを収納空間内にウエイトを挿入するだけで、十分なウエイト保持状態を維持できることから、装着者が従来のようにウエイト挿入後にフラップを係合する操作をする必要がなく、また装着者のフラップの係合操作忘れや怠慢等によりポケットが開口状態のまま使用されるといったことも全く無く、また、フラップの係合手段の劣化といった問題も生じないことから、これらの技術的要因及び人的要因に起因する危険性を解消することができる。
【００１４】
また、本発明においては、ベルト基体全体を、合成樹脂又は天然ゴム若しくは合成ゴムから形成することにより、汚染に強く、乾拭き若しくは水洗い等の簡易な清掃のみで、簡単に汗等の汚れを除去することができ、清潔且つ快適な状態でパワーウエイトバンドを着用することができる。
【００１５】
更に、ベルト基体全体を、合成樹脂又は天然ゴム若しくは合成ゴムから形成することから、製造が非常に容易であり、製造コストを低廉化することが可能である。
【００１６】
請求項２に係る発明においては、ウエイト収納部は、ウエイトを収納可能な収納空間と、外部から前記収納空間に達し且つ収納空間高さより低い高さの挿入部である挿入口とを具備することによって、請求項１と同様に、挿入口が僅かに収納空間側へ撓むように変形し、ウエイトを収納空間内へ挿入することができる。そして、ウエイトが一旦収納空間内に収納されると、挿入口の内側壁面はウエイトに対して密着状態若しくは密着に近い状態となり、遠心力等の外力が作用した場合であっても、外方へ挿入口が広がることも無く、ウエイトを確実に保持することができる。
【００１７】
また、請求項３に係る発明のように、請求項１又は請求項２にかかる発明について、ウエイト収納部の正面側と背面側の双方に挿入部を形成した構成を付加した場合には、背面側から指を押し込み、正面側の挿入部を指で持ち上げ開口することによって、非常に簡単にウエイトを取り出すことができ、快適に使用することができる。
【００１８】
また、請求項４に係る発明のように、ベルト基体の内面には、該ベルト基体と一体として、複数の突条を列設したことによって、装着使用中に、突条が装着部位と接触し、装着部位とベルト基体との間に隙間を形成して通気性を確保し、発汗による蒸れを低減することができる。
【００１９】
更に、請求項５に係る発明のように、ベルト基体は、シリコンゴムからなるものとした場合には、過激な運動によって受けるパワーウエイトバンドの変形や汗等によって生ずる劣化に対して非常に耐久性を高くすることができるだけでなく、被粘着性によって皮膚に貼り付かず、汗による蒸れを抑えるととともに、耐熱性、耐寒性を発揮し、また無臭であることから、汗の臭いと混ざって不快臭を放つことも無く、非常に快適で使用感のよいパワーウエイトバンドを提供することができる。
【００２０】
また、請求項６に係る発明、即ち、可撓性を有し、外面にはウエイトを収納するためのウエイト収納部を列設した帯状のベルト基体と、前記ウエイト収納部に収納されるウエイトとを備え、前記ベルト基体の両端部には、該両端部相互を係脱自在とする係合部を具備するパワーウエイトバンドにおけるウエイトの収納構造において、ウエイト収納部は、ウエイトを収納可能な収納空間と、外部から前記収納空間に達する切込みを形成してなる挿入部を備え、ウエイトは、前記収納空間の輪郭と同一形状として、ウエイトの外面が収納空間を形成する内面に当接したパワーウエイトバンドにおけるウエイトの収納構造によれば、請求項１に係る発明の作用効果を得るとともに、ウエイトの表面とウエイト収納部の内面との摩擦抵抗でウエイト収納部からのウエイトの飛び出しをより抑えることができ、更に確実にウエイトを保持することができる。
【００２１】
そして、請求項７に係る発明においては、請求項６に係る発明と同様に、ウエイトの表面とウエイト収納部の内面との摩擦抵抗でウエイト収納部からのウエイトの飛び出しをより抑えて確実にウエイトを保持することができるとともに、ベルト基体の材質をシリコンゴムとすることで、過激な運動によって受けるパワーウエイトバンドの変形や汗等によって生ずる劣化に対して非常に耐久性を高くすることができるだけでなく、被粘着性によって皮膚に貼り付かず、汗による蒸れを抑えるととともに、耐熱性、耐寒性を発揮し、また無臭であることから、汗の臭いと混ざって不快臭を放つことも無く、非常に快適で使用感のよいパワーウエイトバンドを提供することができる。
【発明を実施するための最良の形態】
【００２２】
本発明は、ベルト基体全体を、合成樹脂又は天然ゴム若しくは合成ゴムから形成するとともに、ウエイト収納部は、ウエイトを収納可能な収納空間と、外部から前記収納空間に達する切込み状の挿入部を形成したことによって、切込片相互は切込みを塞ぐように密着状態若しくは密着に近い状態となり、遠心力等の外力が作用した場合であっても、外方へ切込片が開くことも無く、ウエイトを確実に保持し、また、簡単に汗等の汚れを除去することができ、清潔且つ快適な状態で着用することができる、優れたパワーウエイトバンドを提供する目的を達成した。
【実施例】
【００２３】
図１は本発明の実施例１に係るパワーウエイトバンドの（イ）正面図、（ロ）背面図、（ハ）右側面図及び（ニ）左側面図、図２は同実施例１に係るパワーウエイトバンドの（イ）平面図、（ロ）底面図、（ハ）Ａ−Ａ断面図及び（ニ）Ｂ−Ｂ断面図、図３は本発明の実施例２に係るパワーウエイトバンドの（イ）正面図、（ロ）背面図、（ハ）右側面図及び（ニ）左側面図、図４は同実施例２に係るパワーウエイトバンドの（イ）平面図、（ロ）底面図、（ハ）Ｃ−Ｃ断面図、図５は本発明の実施例３に係るパワーウエイトバンドの（イ）正面図、（ロ）背面図、（ハ）右側面図及び（ニ）左側面図、図６は同実施例３に係るパワーウエイトバンドの（イ）平面図、（ロ）底面図、（ハ）Ｄ−Ｄ断面図、（ニ）Ｅ−Ｅ断面図、（ホ）Ｅ−Ｅ拡大断面図、図７は本発明の実施例１に係るパワーウエイトバンドの装着状態を示す説明図、図８は本発明の他の実施例に係るパワーウエイトバンドのウエイト収納部を示す拡大断面図である。
【００２４】
（実施例１）
本発明の実施例１に係るパワーウエイトバンド１は、図１及び図２に示すように、ベルト基体１０と、ベルト基体１０の両端に取付けられる雌スナップボタン１２及び雄スナップボタン１３と、金属製のウエイト１１とからなる。
【００２５】
前記ベルト基体１０は、シリコンゴムからなる長さ１７０ミリメートル、幅２３ミリメートル、厚さ３ミリメートルの帯状体の外面１００（即ち、捲着状態で外側に露出する面）上に、六個のウエイト収納部１４を２ミリメートル程度の隙間１０３を開けて前記帯状体と一体として列設してなるものである。
【００２６】
また、ベルト基体の内面１０１（即ち、捲着状態で膚に当接する面）には、３ミリメートル間隔で、高さ１．５ミリメートル程度の突条１０２が複数列設されている。
【００２７】
そして、前記ウエイト収納部１４は、ウエイト１１を収納可能な収納空間１４０と、外部から前記収納空間１４０に達する切込み１４ａを形成した挿入部を具備したものであり、挿入部における切込み１４ａの形状は、図１の正面図に示すように、ウエイト１１と略同幅の略Ｈ形状としている。
切込み１４ａによって形成される切込片１４ｄは、収納空間１４０側に対して僅かに撓むように形成しており、通常状態では閉塞状態として形成している。
【００２８】
また、本実施例１におけるウエイト１１は、ウエイト収納部１４における収納空間１４０と略同形状で、且つ収納空間１４０に対して隙間無く嵌り込む大きさとし、ウエイト収納部１４０に嵌入され、ウエイト１１の表面１１０とウエイト収納部１４の収納部内面１４１とが当接した状態となっている。
【００２９】
当該構成とすべく、ウエイト１１を収納空間１４０に挿入する際には、図２の（ニ）Ｂ−Ｂ断面図に示すように、Ｈ型の切込み１４ａによって形成された二つの切込片１４ｄがウエイト１１の進行に伴って僅かに弾性変形し、収納空間１４０側に撓んで切込み１４ａが開くことによって、ウエイト１１を挿入することができる。また、この際に、ウエイト１１の挿入を容易とするため、装着者は指で切込み１４ａを開く補助操作を行うこともできる。ウエイト１１を奥まで挿入すると、切込片１４ｄは元の閉塞状態に復帰する。
【００３０】
また、装着使用時には、切込み１４ａは完全に塞がっており、ウエイト収納部１４の収納部内面１４１とウエイト１１の表面１１０は当接しており、遠心力が作用した場合であっても、収納部内面１４１とウエイト１１の表面１１０との摩擦抵抗も作用して、ウエイト１１は収納部内面１４１のうち切込片１４ｄの内側壁面１４２に当接するものの、外方へ飛び出すだけの負荷を当該切込片１４ｄの内側壁面１４２へ与えることができないことから、ウエイト１１の飛び出しが防止される。
【００３１】
また、ウエイト１１を、収納空間１４０から取り出すときは、樹脂若しくはゴムの弾性を利用して、挿入部を開口して、指で引出すことによって、取り出すことができる。この際、ウエイト収納部１４０における挿入部と反対側の位置を指で潰すように摘んでウエイト１１を押出す操作を行えば、より簡単にウエイト１１を取り出すことができる。
【００３２】
装着においては、図７に示すように、例えば腕に装着する場合、挿入口側と反対側を指先側として捲着する。このように装着することによって、遠心力による飛び出しに対する安全性をより向上することができる。
【００３３】
本実施例１においては、ウエイト１１の幅よりと同程度の幅の略Ｈ形状の切込み１４ａとした挿入部を形成し、該切込み１４ａによって形成される切込片１４ｄは、収納空間１４０側に対して僅かに撓むように形成するとともに、装着時には切込片１４ｄが閉塞した状態としたことから、激しい運動等を行うことによって遠心力等の外力がパワーウエイトバンド１に対して作用した場合であっても、外方へ切込片１４ｄが開くことも無く、ウエイトを確実に保持することができる。
【００３４】
また、上記したように、本実施例１におけるウエイト１１は、ウエイト収納部１４における収納空間１４０の輪郭と略同形状で、且つ収納空間１４０に対して隙間無く嵌り込む大きさとし、ウエイト１１の表面１１０とウエイト収納部１４の収納部内面１４１とが当接した状態としたことによって、ウエイト１１の表面１１０とウエイト収納部１４の収納部内面１４１との摩擦抵抗によって、更に確実にウエイト１１を保持することができる。
【００３５】
また、本実施例１においては、上記したように、ベルト基体１０の内面１０１に、３ミリメートル間隔で、高さ１．５ミリメートル程度の突条１０２が複数列設した構成としたことから、突条１０２が装着部位である皮膚と接触し、ベルト基体１０の内面１０１に皮膚に当接しない箇所が形成され、通気性が得られて、発汗による蒸れを低減する効果を得ることができる。
【００３６】
（実施例２）
次に、図３及び図４に示すように、本発明の実施例２に係るパワーウエイトバンド１を説明する。尚、実施例１と共通の構成部分については、同一符号を付して説明する。
【００３７】
本実施例２に係るパワーウエイトバンド１は、ベルト基体１０と、ベルト基体１０の両端に取付けられる雌面ファスナー１６及び雄面ファスナー１７と、金属製のウエイト１１とからなる。
【００３８】
ここで、ベルト基体１０の材質、長さ、幅、厚さ、更にベルト基体１０の内面１０１に形成される突条１０２については、実施例１と略同様である。ベルト基体１０のウエイト収納部１４は、実施例１と略同間隔で列設しているが、形状については、同図３に示すように、蒲鉾形状（円筒の半割形状）に形成している。
【００３９】
本実施例２における雌面ファスナー１６及び雄面ファスナー１７は、ベルト基体１０に対して縫合糸１５によって縫着固定している。
【００４０】
（実施例３）
本発明の実施例３に係るパワーウエイトバンド１は、図５及び図６に示すように、上記実施例１及び実施例２とはウエイト収納部１４の構成が相違する。本実施例３に係るパワーウエイトバンド１は、実施例１及び実施例２の切込み１４ａに代えて開口した挿入口１８を備えることによって、ウエイト収納部１４からウエイト１１を取り出す際の容易さをより一層向上させたものである。
以下に本実施例３に係るパワーウエイトバンドの具体的な構成及び作用について説明する。尚、実施例１及び実施例２と同一の構成部分には、同一符号を付して説明する。
【００４１】
本発明の実施例３に係るパワーウエイトバンド１は、実施例１と同様に、ベルト基体１０と、ベルト基体１０の両端に取付けられる雌スナップボタン１２及び雄スナップボタン１３と、金属製のウエイト１１とからなる。そして、前記ベルト基体１０は、半透明のシリコンゴムからなる長さ２４０ミリメートル、幅２８ミリメートル、厚さ３ミリメートルの帯状体の外面１００上に、六個のウエイト収納部１４を２ミリメートル程度の隙間１０３を開けて前記帯状体と一体として列設してなる。
【００４２】
また、本実施例３に係るパワーウエイトバンド１にはベルト基体１０の締付け具合を調節できるように、雌スナップボタン１２の数と雄スナップボタン１３の数とを同一とせず、選択した雄スナップボタン１３のみを雌スナップボタン１２と係合し、長さを調節する構成である。尚、装着状態において、雌スナップボタン１２と係合しない雄スナップボタン１３が着用者の腕を圧迫しないように、ベルト基体１０の裏面には当該雄スナップボタン１３を逃すための凹部１０４を形成している。
【００４３】
そして、本実施例３に係るパワーウエイトバンド１のウエイト収納部１４は、図６のＥ−Ｅ断面図に示すように、ウエイトを収納可能な収納空間１４０と、外部から前記収納空間１４０に達し且つ収納空間１４０の高さＨ１より低い高さＨ２で矩形に開口した挿入口１８とを具備するものである。挿入口１８はウエイト収納部１４の正面側と背面側の双方に形成している。
【００４４】
また、収納空間１４０は挿入されるウエイト１１に密着する大きさと形状としている。このため、ウエイト１１の正面及び背面の上部分は、ウエイト収納部１４の正面側の内側壁面１４２及び背面側の内側壁着面１４２に密着している。当該構成によって、実施例１、２に係るパワーウエイトバンド１と同様に、激しい運動等を行うことによって遠心力等の外力がパワーウエイトバンド１に対して作用した場合であっても、外方へ挿入口１８が開くことも無く、ウエイトを確実に保持することができる。
【００４５】
そして、ウエイト収納部１４からウエイト１１を取り出すには、背面側の挿入口１８から指先を押し込みながら、正面側の挿入口１８を指で持ち上げ開口することによって、非常に簡単に行うことができる。
【００４６】
また上記いずれの実施例においても、パワーウエイトバンド１におけるベルト基体１０の材質としてシリコンゴムを使用しているが、本発明は同材質に限らず、種々の公知な合成樹脂、天然ゴム、合成ゴムを使用することができる。また、これらの材質は単独で用いる場合のみならず、複数の材質を配合して用いることもできる。
【００４７】
そして、本発明に係るパワーウエイトバンドは、耐水性に優れた、シリコンゴム、種々の公知な合成樹脂、天然ゴム、合成ゴムを使用することによって、水泳時等においても装着することができ、使用者にとって、非常に利便性に富むものとすることができる。
【００４８】
一方、上記実施例１乃至実施例３のように、シリコンゴムを使用する場合には、過激な運動によって受けるパワーウエイトバンド１の変形や汗等によって生ずる劣化に対して非常に耐久性を高くすることができ、また、被粘着性によって汗による蒸れを抑えるととともに、耐熱性、耐寒性を発揮し、また臭いを有さないことから、非常に快適で使用感のよいパワーウエイトバンド１を提供することができるのである。
【００４９】
本発明における上記実施例１乃至実施例３においては、ウエイト収納部１４の形状は、外形直方体、若しくは蒲鉾状としているが、本発明はこれに限らず、他の任意の形状とすることができる。
【００５０】
また、上記実施例１乃至実施例３においては、両端の係合手段としては、雌スナップボタン１２及び雄スナップボタン１３、若しくは、雌面ファスナー１６及び雄面ファスナー１７の係脱としているが、本発明はこれらに限定するものではなく、雌雄混在面ファスナーや、バックル等、種々の公知な係脱手段を使用することができる。
【００５１】
更に、前記ベルト基体１０の両端の係合手段として使用するスナップボタンについては、上記実施例１のように縫着する場合のみならず、スナップボタン自体を合成樹脂製として、熱融着によって固定するものとすることもできるし、或いは、ベルト基体１０と一体成形することもできる。
これらの固着手段を用いることで、本発明に係るパワーウエイトバンド１の製造工数の低減、材料コストの低減を図ることで、より安価にパワーウエイトバンドを提供することができる。
【００５２】
また本実施例１及び実施例２においては、ウエイト収納部１４における挿入部の切込み１４ａの形状を「Ｈ」型としているが、本発明においては当該Ｈ型に限らず、略同様の作用効果を得ることのできる略「エ」字形状等の形状とすることもできる。更に、実施例１及び実施例２における挿入部の切り込み１４ａは正面側のみならず背面側に形成することもできる。一方、実施例３については、挿入部である挿入口１８を正面側及び背面側の双方に形成しているが、本発明においては挿入口は正面側、背面側のいずれか一方のみとすることもできる。
【００５３】
また、本発明における挿入部の形状は、上記実施例に限るものではなく、例えば、他の実施例として図８に示すように、ウエイト収納部１４の挿入部の切込み１４ａの縁に斜面若しくは曲面等を形成した案内部１４ｅを形成することによって、収納空間１４０に対するウエイト１１の挿入をより一層容易とすることができる。
【図面の簡単な説明】
【００５４】
【図１】本発明の実施例１に係るパワーウエイトバンドの（イ）正面図、（ロ）背面図、（ハ）右側面図及び（ニ）左側面図である。
【図２】本発明の実施例１に係るパワーウエイトバンドの（イ）平面図、（ロ）底面図、（ハ）Ａ−Ａ断面図及び（ニ）Ｂ−Ｂ断面図である。
【図３】本発明の実施例２に係るパワーウエイトバンドの（イ）正面図、（ロ）背面図、（ハ）右側面図及び（ニ）左側面図である。
【図４】本発明の実施例２に係るパワーウエイトバンドの（イ）平面図、（ロ）底面図、（ハ）Ｃ−Ｃ断面図である。
【図５】本発明の実施例３に係るパワーウエイトバンドの（イ）正面図、（ロ）背面図、（ハ）右側面図及び（ニ）左側面図である。
【図６】本発明の実施例３に係るパワーウエイトバンドの（イ）平面図、（ロ）底面図、（ハ）Ｄ−Ｄ断面図、（ニ）Ｅ−Ｅ断面図（ホ）Ｅ−Ｅ拡大断面図である。
【図７】本発明の実施例１に係るパワーウエイトバンドの装着状態を示す説明図である。
【図８】本発明の他の実施例に係るパワーウエイトバンドのウエイト収納部を示す拡大断面図である。
【符号の説明】
【００５５】
１      パワーウエイトバンド
１０    ベルト基体
１００  外面
１０１  内面
１０２  突条
１０３  隙間
１０４  凹部
１１    ウエイト
１１０  表面
１２    雌スナップボタン
１３    雄スナップボタン
１４    ウエイト収納部
１４ａ  切込み
１４ｄ  切込片
１４ｅ  案内部
１４０  収納空間
１４１  収納部内面
１４２  内側壁面
１５    縫合糸
１６    雌面ファスナー
１７    雄面ファスナー
１８    挿入口
【図１】
2007044316.tif 000003
【図２】
2007044316.tif 000004
【図３】
2007044316.tif 000005
【図４】
2007044316.tif 000006
【図５】
2007044316.tif 000007
【図６】
2007044316.tif 000008
【図７】
2007044316.tif 000009
【図８】
2007044316.tif 000010